(57)【要約】【課題】現在、犯罪防止策として、学童や女性用サイレンなどが市販されているが、単に音が出るかもしくは送信する仕組みである、警察では犯罪の特定をするために、日時、場所、犯罪の種別、犯罪の顛末・状況を知る必要がある。それらの情報を近隣のコミュニティが協力出来る仕組がない。ＧＰＳでは、犯罪の発生を確認する手段は、電話をすることである。【解決手段】既存又は新規の自動販売機に、アンテナ・警報装置付き受信機を取り付け、犯罪の発生時に被害者の発信する信号を認識して、大音量の警報・カメラによる録画を開始する。同時に、発信者のＩＤと日時、場所、ＩＤからの通報の種別などの情報を記録し、転送する機能を持つ。警報は、近隣住民が聞きつけ、処理する、警報の停止は、自動販売機を管理する又は特定の近隣の住民が保持するリモコンで停止する。【選択図】図１
2007109189.tif 000002
【特許請求の範囲】
【請求項１】
犯罪（児童誘拐・ストーカ・痴漢・その他の犯罪）の発生時に、無線送信機の緊急ボタンで押す事により犯罪発生の送信をし、既存物である自動販売機内に設置した、デジタル化コードを解読できる受信機でコードを確認し、犯罪または事故を示す信号を発するサイレン音とサイレン警報灯を駆動する。
【請求項２】
犯罪または事故の発生時に、カメラを起動し、一定時間の録画が出来る。
【請求項３】
無線送信機が犯人に発見され、破棄又は破壊されても、予備無線送信機を発信することができる。予備無線発信機は、無線送信機の２度以上の送信又は手動で起動される。
【請求項４】
受信機では、無線送信機からの信号のＩＤと、受信した時間、場所の情報を蓄積する。その情報は犯罪を特定する情報となる。
【請求項５】
受信機に蓄積された情報は、外部に転送したり、又は外部から取得することができ、時系列による情報の逐次取得により、犯罪の追跡情報とする。
【請求項６】
受信用アンテナとサイレンと警報灯は、犯人に脅威を与える。自動販売機の前面から見える場所に半固定的に設置し、外部からの目視の容易性を提供する。
【請求項７】
既存の自動販売機にも設置できるように、電源はバッテリとし、バッテリ交換は半年程度に、簡便にできるよう、単純化する。交換時期を示す点灯と、設置年度の色分けをする。
【請求項８】
犯罪逐次情報は、コンピュータに転送され、コンピュータによる解析で、犯罪の顛末を知ることができる。
【発明の詳細な説明】
【技術分野】
【０００１】  自動販売機に振動又は空気圧の変動を感知し、自動販売機金銭の強奪を未然に防御するために、サイレンと警告灯により、近隣住民に協力を求めるものであり、同時に、幼児の誘拐やストーカ・痴漢などの犯罪の発生時に、無線送信機によるデジタル化した信号による同一性を確認し、自動販売機内で受信し、サイレンと警報灯により、近隣住民に知らせる。コンピュータシステムが解析する。
【背景技術】
【０００２】  犯罪・事故は、国際化や情報化で、年々増化し、複雑で短時間の犯罪が発生している．安全防犯の要求に呼応するのが技術開発の起因であり、進展している無線通信技術とコンピュータが可能にする。
【発明の開示】
【発明が解決しようとする課題】
【０００３】  犯罪の発生しそう、又は発生した事象を取得する必要がある。その特定は、被害者からの通報が第一に重要である。通報情報は、その人のＩＤと場所、日時、犯罪の内容、顛末等の情報である。確報情報も必要とする。【０００４】犯罪の発生しそう、又は発生したことを知らせる信号の届く範囲を、出きるだけ大きくする必要があるが、あまり広範囲ではどこで犯罪または事故が発生しているかの確認が出来ない。範囲を５０ｍ内外の範囲とする必要がある。【０００５】誘拐やストーカー、痴漢などの犯罪は、時間と場所は不特定である。誘拐などは、車による誘拐も多発するために、広域で且つ即時の情報取得が肝要である。【０００６】犯罪者は、通報による発覚を一番恐れるため、通報機器の破棄又は破壊を行う。通報機器には、容易に隠蔽できる小型で、簡易な通報機器である必要がある。携帯電話のような機器は発覚し易い。【０００７】通報情報は、自動で転送されるか、又は確認の上での通報が可能なようにする必要がある。【０００８】サイレンと警報は、誤報の場合又はある一定の時間後には停止するか又は手動にて、停止する機能が必要である。【０００９】情報を蓄積し、逐次更新している。コンピュータでの解析の結果を表示することで、犯罪の発生の確認と追跡を可能にする。【００１０】犯罪者に通報機器が発見され、破壊若しくは破棄されても、予備の通報機器が継続して通報する仕組みが必要である。【００１１】近隣の住民の協力を得るには、警察、ＰＴＡ、自治会、学校などの連携が必須である。これらの組織の協力を得られる既存器物での自販機に機能を持つ。悪戯と実際の犯罪・事故の区別を確認できる仕組みを保つ必要がある。
【課題を解決するための手段】
【００１２】  通報情報機器として、小型の隠蔽し易い無線通信器を用い、誤信・混信による誤動作を防ぐデジタルＩＤを利用する。また他のＩＤとして、事前に定める犯罪種別と個人ＩＤを設定する。犯罪または事故が発生した時点で、カメラを動作して、一定時間の録画を残し、確報とする。【００１３】微弱無線ではなく、特定小電力無線を使い、長距離送信を可能にする。悪戯防止の機構と、悪戯と犯罪・事故を目視する距離範囲で、動作する。【００１４】受信機の設置場所は、各受信機を最長５０ｍとし、２４時間ｘ３６５日稼動可能とする。停電などの緊急時でも稼動するバッテリーで稼動する。【００１５】通報機器には、携帯電話のような携帯ではなく、瞬時に押すことで通報できる簡易型で小型の無線通信機器とする。悪戯による通報を防止するために、最初の起動時だけ数秒の間合いを置く。【００１６】通報情報の自動転送か手動の選択は、近隣の住民の判断や環境もあり、設置時に選択できるものとする。手動を選択した場合には、通報時に情報を伝達できるように、事前にＩＤの解明をする必要がある。【００１７】サイレンや警報が無制限に継続するのではなく、ある一定時間で自動停止するか、近隣住民のコンセンサスでの決定による管理者が所有するリモコンで停止できる。【００１８】犯罪発生の確認は、被害者からの通報を真とする。通報を基に、通報情報を解析して、犯罪の種類と被害者の同定、場所、顛末などの情報を見出す。【００１９】追跡は、随時取得する誘拐通報情報を基に、場所と時間により、追跡が出きる。犯人が通報機器を発見しても、予備の通報機器の継続稼動により、追跡情報取得は可能である。【００２０】犯罪者に通報機器が発見されて、破棄又は破壊されても、予備（バックアップ）通報機器が継続して通報する。その起動は、自動で２度以上のボタンを押すか又は手動による起動による。【００２１】近隣住民と警察、ＰＴＡ、学校、幼稚園などの協力と協同は必須である、協力なくしては、本システムが機能しない。
【発明の効果】
【００２２】  幼児・低学年の小学生の誘拐や悪戯に対する防犯は、重篤な犯罪に対する有効な効果がある。また、ストーカ・痴漢などの犯罪を未然に防止し、また犯罪の緊急性を要することに関する有用性は明確な社会的要請である。【００２３】犯罪に対する近隣住民の意識の向上は、犯罪の防止に役立つ。また、犯罪者への威嚇は、近隣住民の協力により、強化される。近隣住民の社会的貢献の意識が向上する。【００２４】誘拐事件などでの、移動中での自販機への通報と時系列の把握が出来る。【００２５】ＩＴのハイテクノロジーと近隣住民の協力によるハイタッチとの融合による社会調和がもたらされる。人間とＩＴとの共存と協同が図られる。【００２６】セキュリティ配置による住民の安心感が得られ、セキュリティは近隣住民の協同により、強化されて、住民の「安全と安心」を与えることになる。【００２７】犯罪防止と犯罪撲滅による、犯罪件数の低下に寄与することが出来る。
【発明を実施するための最良の形態】
【００２８】  空間的に、３０〜５０ｍ間隔での自動販売機に取り付ける受信機とアンテナと警報・サイレン設備と、５０ｍを超える電波の到達距離を持つ緊急ボタンを持つ送信機。【００２９】近隣住民の防犯への協力意識と学校、幼稚園などの必要性の認識。ストーカ・痴漢などの撃退を希望する住民の協力。【００３０】警察との連携ができる形態。通報の手順や内容の取り決め。誤報や誤動作時の対応などの取り決めや規定が必要。【００３１】通報機器からの情報の解析用コンピュータと、情報格納し情報提供するサーバーの設置。および、サーバーの管理・運用。【００３２】所轄する地域の警察でのサーバーシステムの設置。【００３３】「実施形態の効果」【００３４】  犯罪の未然化と近隣コミュニティの防犯意識の高揚。【００３５】犯罪発生の確認の迅速化と犯罪追跡の情報化。
「他の実施形態」【００３６】  東京都区内の子供１１０番への簡易設置や、災害警報等にも転用ができる。
【産業上の利用可能性】
【００３７】  既存構造物への展開が考えられる。
【図面の簡単な説明】
【００３８】
【図１】この発明の一実施形態を示す概略図である。
【図２】自販機の外装内容を示す概略の斜視図である。
【図３】自販機の内装内容を示す自販機の概略の斜視図である。
【図４】受信機本体の外形寸法（概算）
【図５】緊急ボタン付き発信機（概算）とリモコンの外形寸法
【図６】コンピュータでの情報解析フロー
【符号の説明】
【００３９】      １  緊急ボタン付き発信機            ２  自動販売機
３  警報サイレン                    ４  警報灯、カメラ
５  アンテナ                        ６  受信機
７  リモコン
【図１】
2007109189.tif 000003
【図２】
2007109189.tif 000004
【図３】
2007109189.tif 000005
【図４】
2007109189.tif 000006
【図５】
2007109189.tif 000007
【図６】
2007109189.tif 000008